(57)【要約】      （修正有）【課題】蓋体の強固な施蓋ロック手段を設けた外観の美しい多段式弁当箱を提供する。【解決手段】外容器１を中蓋３により施蓋した格納状態の低位施蓋位置と、外容器に中容器２を載せた積層状態の高位施蓋位置とを選択し、装着される外蓋４を有し、外蓋のフラップ１９を垂下姿勢とし、外容器の張出ブロック２０を引き寄せ係止する構成において、フラップ１９には、低位施蓋位置で張出ブロック２０を内嵌自在とする上側係止窓部と、高位施蓋位置で張出ブロックを内嵌自在とする下側係止窓部が形成されており、施蓋ロック状態で、張出ブロック２０の外側面がフラップ１９の外側面と面一に整合する。また、フラップが垂下姿勢を超えて回動しないように張出しブロックにストッパ手段が設けられている。【選択図】図１
0003188780.tif 000002
【実用新案登録請求の範囲】
【請求項１】
外容器(1)と、前記外容器に収納自在な中容器(2)と、前記外容器の上部開口部を開閉自在に施蓋する中蓋(3)と、外蓋(4)を備え、
前記外蓋(4)は、外容器に中容器を収納しかつ該外容器を中蓋により施蓋した格納状態において前記中蓋(3)に搭載される低位施蓋位置で装着可能とされると共に、外容器を中蓋により施蓋しかつ該中蓋に中容器を載せた積層状態において前記中容器(2)に搭載される高位施蓋位置で装着可能とされるように構成され、
前記外蓋(4)の側部の軸着部(18)にフラップ(19)を枢結すると共に、外容器(1)の側部に張出ブロック(20)を設けることにより、前記フラップを張出ブロックに向けて押付け回動した垂下姿勢(P1)としたとき該フラップと張出ブロックを相互に引き寄せ係止することによりロックし、前記フラップを張出ブロックから離反方向に回動したとき係止解除してアンロックする施蓋ロック手段(21)を構成し、
前記フラップ(19)は、低位施蓋位置において前記張出ブロック(20)を内嵌自在とする上側係止窓部(28)と、高位施蓋位置において前記張出ブロック(20)を内嵌自在とする下側係止窓部(29)を形成しており、
前記フラップ(19)を張出ブロック(20)に向けて垂下姿勢(P1)となるまで押付け回動することにより前記係止窓部(28)(29)に張出ブロック(20)を内嵌させ、張出ブロックの外側面をフラップの外側面と面一に整合した状態で、該フラップが垂下姿勢(P1)を超えて回動しないように該回動を阻止するストッパ手段(33)を前記張出ブロックとフラップの相互に設けて成ることを特徴とする多段式弁当箱。
【請求項２】
前記中蓋(3)は、外容器(1)の開口縁(6a)の上に載置される弾性フランジ(11)を備え、
前記外蓋(4)は、外容器の開口縁に対向する下向き周壁(15)を形成すると共に、前記下向き周壁の内側にパッキン(16)を周設しており、
前記格納状態でフラップを張出ブロックに向けて押付け回動するときは、前記下向き周壁(15)が弾性フランジ(11)を押圧することにより、前記引き寄せ係止による格納時ロックを可能とし、
前記積層状態でフラップを張出ブロックに向けて押付け回動するときは、中容器の開口縁(8a)が前記パッキン(16)を押圧することにより、前記引き寄せ係止による積層時ロックを可能とするように構成して成ることを特徴とする請求項１に記載の多段式弁当箱。
【請求項３】
前記中蓋(3)は、軟質樹脂により形成され、外容器の開口縁(6a)に密嵌自在なシール部(10)から前記弾性フランジ(11)を延設すると共に、更に、該弾性フランジから前記張出ブロック(20)の上方に延びる摘み片(11a)を延設し、
前記フラップ(19)は、前記格納時ロックの状態で前記摘み片を受入れる上側凹部(25b)を上側係止窓部(28)の上部に形成すると共に、前記積層時ロックの状態で前記摘み片を受入れる下側凹部(27b)を下側係止窓部(29)の上部に形成して成ることを特徴とする請求項２に記載の多段式弁当箱。
【考案の詳細な説明】
【技術分野】
【０００１】
本考案は、蓋体の施蓋ロック手段を設けた多段式の弁当箱に関する。
【背景技術】
【０００２】
従来、多段式弁当箱として、外容器に中容器を収納しかつ該外容器を中蓋により施蓋した格納状態において、外蓋を中蓋に搭載した低位施蓋位置で装着可能とし、外容器を中蓋により施蓋しかつ該中蓋に中容器を載せた積層状態において、外蓋を中容器に搭載した高位施蓋位置で装着可能としたものが提案されている。
【先行技術文献】
【特許文献】
【０００３】
【特許文献１】特開平１０−１０８７１７号公報
【考案の概要】
【考案が解決しようとする課題】
【０００４】
特許文献１に開示された弁当箱の場合、外蓋の側部の軸受部に枢結したフラップと、外容器の側部に上下に離間して突設した上側の被係止爪と下側の被係止爪により、外蓋のフラップを外容器に係脱自在に係止する施蓋ロック手段を構成している。
【０００５】
従って、外蓋は、前記格納状態において、フラップの係止爪を下側の被係止爪に係止することによりロック状態で装着することができ、前記積層状態においてフラップの係止爪を上側の被係止爪に係止することによりロック状態で装着することができる。
【０００６】
しかしながら、施蓋ロック手段は、フラップを垂下姿勢に向けて回動することによりロック状態を達成する場合、本来、外蓋と外容器を相互に引き寄せ係止することにより緊締ロックさせることが好ましいが、特許文献１の場合、施蓋ロック手段を相互に係止する爪により形成しているので、強力な緊締ロックを行わせるときは、爪が容易に破損するという問題がある。
【０００７】
従って、強力な緊締ロックを行わせることができず、このため、弁当箱の密閉性についても不十分となる。
【０００８】
この点に関して、本考案者は、相互に嵌合されるフラップの係止窓部と外容器の張出ブロックにより施蓋ロック手段を構成することが有利であることを知見したが、嵌合ロックした状態で、張出ブロックが係止窓部から突出する等、外側面が整合されていないと、見苦しい等の問題があり、更に、外観上の形態美観の他にも、施蓋ロックを強固に行わせる等の点に問題があることを知得した。
【課題を解決するための手段】
【０００９】
本考案は、上記課題を解決した多段式弁当箱を提供するものであり、その手段として構成したところは、外容器と、前記外容器に収納自在な中容器と、前記外容器の上部開口部を開閉自在に施蓋する中蓋と、外蓋を備え、前記外蓋は、外容器に中容器を収納しかつ該外容器を中蓋により施蓋した格納状態において前記中蓋に搭載される低位施蓋位置で装着可能とされると共に、外容器を中蓋により施蓋しかつ該中蓋に中容器を載せた積層状態において前記中容器に搭載される高位施蓋位置で装着可能とされるように構成され、前記外蓋の側部の軸着部にフラップを枢結すると共に、外容器の側部に張出ブロックを設けることにより、前記フラップを張出ブロックに向けて押付け回動した垂下姿勢としたとき該フラップと張出ブロックを相互に引き寄せ係止することによりロックし、前記フラップを張出ブロックから離反方向に回動したとき係止解除してアンロックする施蓋ロック手段を構成し、前記フラップは、低位施蓋位置において前記張出ブロックを内嵌自在とする上側係止窓部と、高位施蓋位置において前記張出ブロックを内嵌自在とする下側係止窓部を形成しており、前記フラップを張出ブロックに向けて垂下姿勢となるまで押付け回動することにより前記係止窓部に張出ブロックを内嵌させ、張出ブロックの外側面をフラップの外側面と面一に整合した状態で、該フラップが垂下姿勢を超えて回動しないように該回動を阻止するストッパ手段を前記張出ブロックとフラップの相互に設けて成る点にある。
【００１０】
本考案の好ましい実施形態において、前記中蓋は、外容器の開口縁の上に載置される弾性フランジを備え、前記外蓋は、外容器の開口縁に対向する下向き周壁を形成すると共に、前記下向き周壁の内側にパッキンを周設しており、前記格納状態でフラップを張出ブロックに向けて押付け回動するときは、前記下向き周壁が弾性フランジを押圧することにより、前記引き寄せ係止による格納時ロックを可能とし、前記積層状態でフラップを張出ブロックに向けて押付け回動するときは、中容器の開口縁が前記パッキンを押圧することにより、前記引き寄せ係止による積層時ロックを可能とするように構成している。
【００１１】
前記中蓋は、軟質樹脂により形成され、外容器の開口縁に密嵌自在なシール部から前記弾性フランジを延設すると共に、更に、該弾性フランジから前記張出ブロックの上方に延びる摘み片を延設することが好ましく、前記フラップは、前記格納時ロックの状態で前記摘み片を受入れる上側凹部を上側係止窓部の上部に形成すると共に、前記積層時ロックの状態で前記摘み片を受入れる下側凹部を下側係止窓部の上部に形成することが好ましい。
【考案の効果】
【００１２】
請求項１に記載の本考案によれば、フラップ１９を張出ブロック２０に向けて押付け回動した垂下姿勢Ｐ１としたとき、張出ブロック２０が上側係止窓部２８又は下側係止窓部２９に嵌入され、該張出ブロック２０の外側面（図示実施形態の縦壁３１）がフラップ１９の外側面（図示実施形態の面板２５ａ、２７ａ）と面一状態に整合されるように構成しており、この状態から、フラップ１９が垂下姿勢Ｐ１を超えて回動しないように該回動を阻止するストッパ手段３３を設けているので、施蓋ロック状態において、フラップ１９の上側係止窓部２８又は下側係止窓部２９が張出ブロック２０の外側面により面一状態で塞がれた美麗な外観を表すように構成した多段式弁当箱を提供することができる。
【００１３】
請求項２に記載の本考案によれば、「格納時ロック」の状態においては、施蓋ロック手段２１の引き寄せ係止作用により、中蓋３の弾性フランジ１１が外容器１の開口縁６ａと外蓋４の下向き周壁１５により挟着されて圧縮され、その弾性復元力により、施蓋ロック状態を強固なものとする。また、「積層時ロック」の状態においては、施蓋ロック手段２１の引き寄せ係止作用により、外蓋４のパッキン１６が中容器２の開口縁８ａに押圧されて圧縮され、その弾性復元力により、施蓋ロック状態を強固なものとする。
【００１４】
請求項３に記載の本考案によれば、中蓋３が弾性フランジ１１から突出する摘み片１１ａを設けているので、中蓋３による外容器１の開閉作業を容易に行うことができ、この際、摘み片１１ａは、張出ブロック２０の上方に位置するように構成されているので、外容器１の開口縁６ａから外側に突出して外観を損なうようなことはない。そして、張出ブロック２０の上方に位置する摘み片１１ａは、「格納時ロック」の状態においてはフラップ１９の上側凹部２５ｂに受入れられ、「積層時ロック」の状態においてはフラップ１９の下側凹部２７ｂに受入れられるので、摘みやすくなるように突出量を大きく形成することが可能となる。
【図面の簡単な説明】
【００１５】
【図１】本考案の１実施形態の外容器と中容器と中蓋と外蓋を分解状態で示す斜視図である。
【図２】本考案の１実施形態における外蓋の軸受部とフラップを分解状態で示す斜視図である。
【図３】本考案の１実施形態に関して格納状態とした容器に外蓋を装着した状態を示す正面図である。
【図４】図３のＡ−Ａ線断面であり、（Ａ）はフラップの係止解除状態を示す断面図、（Ｂ）はフラップの係止状態を示す断面図、（Ｃ）は（Ａ）の部分拡大図、（Ｄ）は（Ｂ）の部分拡大図である。
【図５】本考案の１実施形態に関して積層状態とした容器に外蓋を装着した状態を示す正面図である。
【図６】（Ａ）は図５のＢ−Ｂ線断面、（Ｂ）は（Ａ）の部分拡大図である。
【考案を実施するための形態】
【００１６】
以下図面に基づいて本考案の好ましい実施形態を詳述する。
【００１７】
図面に示すように、多段式弁当箱は、上部開口状の外容器１と、前記外容器１に収納自在な上部開口状の中容器２と、前記外容器１の開口部を開閉自在に施蓋する中蓋３と、外蓋４を備えている。尚、図示省略しているが、中容器２に装入される仕切板や小分け容器等の附属品を設けることが自由である。
【００１８】
前記外容器１は、硬質樹脂等の合成樹脂により成形され、ほぼ長方形の底壁５と周壁６を備えた横長容器に形成され、前記周壁６の上縁により開口縁６ａを構成している。
【００１９】
前記中容器２は、前記外容器１に収納自在とされる小容器を構成するように硬質樹脂等の合成樹脂により成形され、ほぼ長方形の底壁７と周壁８を備えた横長容器に形成され、前記周壁８の上縁により開口縁８ａを構成している。尚、外容器１に収納された状態で、中容器２の開口縁８ａは外容器１の開口縁６ａよりも低位に位置するように構成されている。つまり、外容器１は、中容器２を収納した状態で、前記開口縁６ａに中蓋３を密嵌することが可能である。
【００２０】
前記中蓋３は、エラストマー等の軟質樹脂から成る合成樹脂により成形され、前記外容器１の開口部を閉蓋する蓋板部９の周囲に、前記外容器１の開口縁６ａに嵌脱自在に密嵌されるシール部１０（図４（Ｃ）参照）を周設すると共に、該シール部１０から張出すことにより前記外容器１の開口縁６ａの上に載置される弾性フランジ１１を周設しており、該弾性フランジ１１から部分的に外向きに突出する摘み片１１ａを延設している。図示実施形態の場合、前記蓋板部９には収納凹部１２が形成され、箸やスプーンないしフォーク等の飲食補助具１３を収納可能としている。
【００２１】
前記外蓋４は、前記外容器１の開口部に覆い被せることができるように構成されると共に、硬質樹脂等の合成樹脂により成形され、カバー板部１４の周囲から前記外容器１の開口縁６ａに対向する下向き周壁１５を垂設し、該下向き周壁１５の内側にパッキン１６（図４（Ｃ）参照）を周設している。図示実施形態の場合、前記下向き周壁１５の内側に平行な保持リブ１７をカバー板部１４の下面から垂設することにより保持溝を形成し、該保持溝にパッキン１６を嵌入している。
【００２２】
上記構成において、外容器１と中容器２と中蓋３は、図３及び図４に示すような外容器１に中容器２を収納しかつ該外容器１を中蓋３により施蓋した「格納状態」と、図５及び図６に示すような外容器１を中蓋３により施蓋しかつ該中蓋３に中容器２を載置した「積層状態」の２つの形態を選択的に可能とする。
【００２３】
これに対応して、外蓋４は、前記格納状態（図３及び図４）とされた前記中蓋３に搭載される「低位施蓋位置」と、前記積層状態（図５及び図６）とされた前記中容器２に搭載される「高位施蓋位置」の２つの位置から選択した状態で装着可能となるように構成されている。
【００２４】
そこで、前記外蓋４は、下向き周壁１５の外側部に設けた軸着部１８にフラップ１９を枢結しており、これに対して、外容器１は、周壁６の側部に張出ブロック２０を設けており、前記フラップ１９を張出ブロック２０に向けて押付け回動した垂下姿勢Ｐ１（図４（Ｂ）参照）としたとき該フラップ１９と張出ブロック２０を相互に引き寄せ係止することによりロックし、前記フラップ１９を張出ブロック２０から離反方向に回動した傾斜姿勢Ｐ２（図４（Ａ）参照）としたとき係止を解除してアンロックする施蓋ロック手段２１を構成している。図１に示す実施形態の場合、前記フラップ１９と張出ブロック２０から成る施蓋ロック手段２１は、外蓋４及び外容器１のそれぞれ両側の長辺に対向して設けられた２個の施蓋ロック手段２１ａ、２１ａの１組と、短辺に対向して設けられた２個の施蓋ロック手段２１ｂ、２１ｂの１組から成る合計２組が設けられているが、何れか一方の１組だけを設けても良い。
【００２５】
このような施蓋ロック手段２１の詳細を図２に示している。前記軸着部１８は、外蓋４の下向き周壁１５に沿って突設されたベース部２２の両端に軸端部２３、２３を形成しており、前記フラップ１９は、内向きに対向して形成した一対の軸孔２４、２４に前記軸端部２３、２３を内嵌することにより、該軸端部２３、２３の軸廻りに回動自在に軸支される。
【００２６】
前記フラップ１９は、矩形枠の上下桟部２５、２６の間に中桟部２７を備え、前記上桟部２５と中桟部２７の間に上側係止窓部２８を形成すると共に、前記中桟部２７と下桟部２６の間に下側係止窓部２９を形成している。前記上桟部２５及び中桟部２７は、それぞれ断面Ｌ形に形成することにより、フラップ１９の外側面に位置する面板２５ａ、２７ａを備えており、上桟部２５の面板２５ａの下端縁と中桟部２７の上面により上側係止窓部２８を区成し、中桟部２７の面板２７ａの下端縁と下桟部２６の上面により下側係止窓部２９を区成している。
【００２７】
これに対して、外容器１の周壁６に設けた張出ブロック２０は、該周壁６から開口縁６ａの頂面と面一状でほぼ水平に延びる庇壁３０と該庇壁３０の先端に垂設された縦壁３１を備えた断面Ｌ形に形成され、該断面Ｌ形体の両端を閉鎖する矩形の端板３２、３２を設けている。
【００２８】
これにより、フラップ１９を張出ブロック２０に向けて押付け回動した垂下姿勢Ｐ１としたとき、張出ブロック２０が上側係止窓部２８又は下側係止窓部２９に嵌入され、該張出ブロック２０の縦壁３１がフラップ１９の面板２５ａ、２７ａと面一状態に整合されるように構成しており、この状態から、フラップ１９が垂下姿勢Ｐ１を超えて回動しないように該回動を阻止するストッパ手段３３が設けられている。因みに、前記「面一」とは、図４（Ｄ）及び図６（Ｂ）に示すような僅かな非面一状態を排斥する意味ではなく、「ほぼ面一」であれば良い。
【００２９】
前記ストッパ手段３３は、張出ブロック２０とフラップ１９の相互、つまり、何れか一方又は両方に設けることが可能であるが、図示実施形態の場合、前記張出ブロック２０の端板３２から外容器１の周壁６に沿って下向きに延びるリブ３４を形成し、垂直姿勢Ｐ１とされたフラップ１９の下桟部２６又は中桟部２７を該リブ３４に当接させることによりストッパ手段３３を構成している。
【００３０】
（格納時ロック）
外容器１に中容器２を収納しかつ該外容器１を中蓋３により施蓋した「格納状態」において、前記中蓋３に搭載される「低位施蓋位置」に外蓋４を装着し、施蓋ロック手段２１によりロックする「格納時ロックの状態」を図３及び図４に示している。
【００３１】
図４（Ａ）に示すように、外蓋４は、フラップ１９を傾斜姿勢Ｐ２として待機させた状態で、下向き周壁１５を中蓋３の弾性フランジ１１に搭載させられる。これにより、図４（Ｃ）に示すように、弾性フランジ１１は、外容器１の開口縁６ａと前記下向き周壁１５の下端縁の間に挟まれている。この状態で、弾性フランジ１１から突出する摘み片１１ａは、張出ブロック２０の庇壁３０の上方に位置する。
【００３２】
フラップ１９を垂下姿勢Ｐ１となるまで張出ブロック２０に向けて押付け回動すると、図４（Ｂ）に示すように、張出ブロック２０が上側係止窓部２８に嵌入され、フラップ１９と張出ブロック２０を相互に引き寄せ係止することによりロックする。この際、図４（Ｄ）に示すように、フラップ１９の中桟部２７がストッパ手段３３に当接し、垂下姿勢Ｐ１を超えて回動することを阻止し、張出ブロック２０の縦壁３１をフラップ１９の面板２５ａ、２７ａとほぼ面一に整合する。従って、図３に示すように、フラップ１９の上側係止窓部２８が前記縦壁３１により面一状態で塞がれた美麗な外観を表す。
【００３３】
前記引き寄せ係止の作用により、中蓋３の弾性フランジ１１が外容器１の開口縁６ａと外蓋４の下向き周壁１５により挟着されて圧縮され、その弾性復元力により、張出ブロック２０の縦壁３１の下端と中桟部２７の上面を相互に圧接状態で強固に係止する。この状態で、外蓋４のパッキン１６は、圧縮されておらず、変形していない。
【００３４】
フラップ１９は、図４（Ｄ）に示すように、上桟部２５の面板２５ａの内側に位置して上側係止窓部２８の上部に連なる上側凹部２５ｂを形成しており、垂下姿勢Ｐ１とされたとき、弾性フランジ１１の摘み片１１ａを上側凹部２５ｂに受入れる。
【００３５】
「格納時ロック」の状態から、前記フラップ１９を回動することにより張出ブロック２０と上側係止窓部２８の係止を解除すると、外蓋４は、持ち上げることにより、取外し可能である。
【００３６】
（積層時ロック）
外容器１を中蓋３により施蓋しかつ該中蓋３に中容器２を載置した「積層状態」において、前記中容器２に搭載される「高位施蓋位置」に外蓋４を装着し、施蓋ロック手段２１によりロックする「積層時ロックの状態」を図５及び図６に示している。
【００３７】
外蓋４は、フラップ１９を傾斜姿勢Ｐ２として待機させた状態で、下向き周壁１５を中容器２の開口縁８ａに外嵌させることにより搭載される。そこで、フラップ１９を垂下姿勢Ｐ１となるまで張出ブロック２０に向けて押付け回動すると、図６（Ａ）（Ｂ）に示すように、張出ブロック２０が下側係止窓部２９に嵌入され、フラップ１９と張出ブロック２０を相互に引き寄せ係止することによりロックする。この際、フラップ１９の下桟部２６がストッパ手段３３に当接することにより、垂下姿勢Ｐ１を超えて回動することを阻止し、張出ブロック２０の縦壁３１をフラップ１９の面板２７ａとほぼ面一に整合する。従って、図５に示すように、フラップ１９の下側係止窓部２９が前記縦壁３１により面一状態で塞がれた美麗な外観を表す。
【００３８】
前記引き寄せ係止の作用により、外蓋４のパッキン１６が中容器２の開口縁８ａに押圧されて圧縮され、その弾性復元力により、張出ブロック２０の縦壁３１の下端と下桟部２６の上面を相互に圧接状態で強固に係止する。
【００３９】
フラップ１９は、図６（Ｂ）に示すように、中桟部２７の面板２７ａの内側に位置して下側係止窓部２９の上部に連なる下側凹部２７ｂを形成しており、垂下姿勢Ｐ１とされたとき、弾性フランジ１１の摘み片１１ａを下側凹部２７ｂに受入れる。
【００４０】
積層時ロックの状態から、前記フラップ１９を回動することにより張出ブロック２０と下側係止窓部２９の係止を解除すると、外蓋４は、持ち上げることにより、取外し可能である。
【符号の説明】
【００４１】
１  外容器
２  中容器
３  中蓋
４  外蓋
５  底壁
６  周壁
６ａ  開口縁
７  底壁
８  周壁
８ａ  開口縁
９  蓋板部
１０  シール部
１１  弾性フランジ
１１ａ  摘み片
１２  収納凹部
１３  飲食補助具
１４  カバー板部
１５  下向き周壁
１６  パッキン
１７  保持リブ
１８  軸着部
１９  フラップ
２０  張出ブロック
２１  施蓋ロック手段
２２  ベース部
２３  軸端部
２４  軸孔
２５  上桟部
２５ａ  面板
２５ｂ  上側凹部
２６  下桟部
２７  中桟部
２７ａ  面板
２７ｂ  下側凹部
２８  上側係止窓部
２９  下側係止窓部
３０  庇壁
３１  縦壁
３２  端板
３３  ストッパ手段
３４  リブ
【図１】
0003188780.tif 000003
【図２】
0003188780.tif 000004
【図３】
0003188780.tif 000005
【図４】
0003188780.tif 000006
【図５】
0003188780.tif 000007
【図６】
0003188780.tif 000008